(57)【要約】  無線信号を送信する送信期間と、無線信号を受信する受信期間とが、重ならないように設定された無線通信装置において、ＩＱ変調された変調信号を直交変調する直交変調部と、前記直交変調された信号を電力増幅する送信電力増幅部とを含む送信部と、受信信号を復調して復調信号を出力する復調部を含む受信部と、前記送信電力増幅部と前記受信部の電源である第１の電源部と、前記直交変調部の電源である第２の電源部と、前記直交変調部へ前記変調信号を出力し、前記復調部からの前記復調信号が入力される制御部とを備え、前記第１の電源部は、前記受信期間では、前記受信部へ定電圧を出力し、前記送信期間では、前記送信電力増幅部へ、前記変調信号の包絡線に応じた変動電圧を出力する。
2016051463.tif 000002
【特許請求の範囲】
【請求項１】
無線信号を送信する送信期間と、無線信号を受信する受信期間とが、重ならないように設定された無線通信装置であって、
ＩＱ変調された変調信号を直交変調する直交変調部と、前記直交変調された信号を電力増幅する送信電力増幅部とを含む送信部と、
受信信号を復調して復調信号を出力する復調部を含む受信部と、
前記送信電力増幅部と前記受信部の電源である第１の電源部と、
前記直交変調部の電源である第２の電源部と、
前記直交変調部へ前記変調信号を出力し、前記復調部からの前記復調信号が入力される制御部とを備え、
前記第１の電源部は、前記受信期間では、前記受信部へ定電圧を出力し、前記送信期間では、前記送信電力増幅部へ、前記変調信号の包絡線に応じた変動電圧を出力することを特徴とする無線通信装置。
【請求項２】
請求項１に記載の無線通信装置であって、
前記第１の電源部は、
入力されたパルス信号のパルス幅に応じた電圧を出力し、該出力により前記第１の電源部の出力を形成するスイッチングアンプを含み、前記送信期間では、前記変動電圧を生成するためのパルス信号である変動電圧生成用パルス信号が前記スイッチングアンプへ入力され、前記スイッチングアンプから前記変動電圧を出力することを特徴とする無線通信装置。
【請求項３】
請求項２に記載の無線通信装置であって、
前記第１の電源部は、
前記変動電圧生成用パルス信号を生成し出力する変動電圧生成用パルス信号生成部を含むことを特徴とする無線通信装置。
【請求項４】
請求項３に記載の無線通信装置であって、
前記第１の電源部は、
前記受信部へ出力される前記定電圧を生成するための定電圧生成用パルス信号と、前記変動電圧生成用パルス信号の内、いずれか一方を前記スイッチングアンプへ出力するパルススイッチ部を含み、
前記パルススイッチ部は、前記送信期間では、前記変動電圧生成用パルス信号を出力し、前記受信期間では、前記定電圧生成用パルス信号を出力し、
前記スイッチングアンプは、前記送信期間では、前記変動電圧を出力し、前記受信期間では、前記定電圧を出力することを特徴とする無線通信装置。
【請求項５】
請求項４に記載の無線通信装置であって、
前記制御部は、
前記送信期間であるか否かを示す識別信号を前記第１の電源部へ出力するとともに、前記送信期間では、前記変調信号の包絡線を示す包絡線信号を前記第１の電源部へ出力し、前記受信期間では、前記定電圧生成用パルス信号を前記第１の電源部へ出力し、
前記変動電圧生成用パルス信号生成部は、前記包絡線信号に基づき、前記変動電圧生成用パルス信号を生成し、
前記パルススイッチ部は、前記識別信号に基づき、前記送信期間では、前記変動電圧生成用パルス信号を出力し、前記受信期間では、前記定電圧生成用パルス信号を出力することを特徴とする無線通信装置。
【請求項６】
請求項１に記載の無線通信装置であって、
前記送信期間と前記受信期間との間に、ギャップタイムが設けられ、
前記第１の電源部は、前記送信期間直後の前記ギャップタイムにおいて、その出力を、前記変動電圧から前記定電圧へ切り換え、前記受信期間直後の前記ギャップタイムにおいて、その出力を、前記定電圧から前記変動電圧へ切り換えることを特徴とする無線通信装置。
【請求項７】
その値が変動する変動信号と切り換え信号とが入力され、
前記変動信号に応じてその値が変動する変動電圧と、定電圧とを、前記切り換え信号に基づき切り換えて出力することを特徴とする電源装置。
【請求項８】
請求項７に記載の電源装置であって、
さらに、前記定電圧を生成するための定電圧生成用パルス信号が入力され、
前記変動電圧を生成するための変動電圧生成用パルス信号を、前記変動信号に基づき生成し出力する変動電圧生成用パルス信号生成部と、
入力されたパルス信号のパルス幅に応じた電圧を出力し、該出力により前記電源装置の出力を形成するスイッチングアンプと、
前記切り換え信号に基づき、前記定電圧生成用パルス信号と前記変動電圧生成用パルス信号の内いずれか一方を、前記スイッチングアンプへ出力するパルススイッチ部と、
を備えることを特徴とする電源装置。
【発明の詳細な説明】
【技術分野】
【０００１】
本発明は、無線通信装置の消費電力を低減する技術に関するものである。
【背景技術】
【０００２】
従来、ＦＤＭＡ（Frequency-Division Multiple Access：周波数分割多元接続）方式やＳＣＰＣ（Single Channel Per Carrier）方式の無線通信装置において、その消費電力を低減するために、ＥＴ（Envelope Tracking：包絡線追跡）技術が用いられることがある。【０００３】
ＥＴ技術は、送信部の電力増幅器の電源電圧を、該電力増幅器の出力電力に応じて変化させるものである。例えば、変調信号からその包絡線情報（Envelope）を取出し、この包絡線情報に応じて電力増幅器の電源電圧を変動させる。これにより、電力増幅器を飽和に近い状態で動作させることができる。こうして、電源電圧を固定した場合よりも、電力増幅器の効率を向上させ、電力のロスを低減する。【０００４】
一方、ＴＤＭＡ（Time-Division Multiple Access：時分割多元接続）／ＴＤＤ（Time Division Duplex：時分割双方向伝送）方式の無線通信装置においては、通常、ＥＴ技術を採用していない。その第１の理由は、ＥＴ技術は送信部の電力増幅器に使用されるが、ＴＤＭＡ／ＴＤＤ方式では送信時間の比率がＦＤＭＡ方式やＳＣＰＣ方式よりも小さく、電力増幅器における実効的な消費電力が低いことである。例えば、ＴＤＭＡ／ＴＤＤ方式の送信時間比率は、常時送信を行うＳＣＰＣ方式の２５％である。このため、ＴＤＭＡ／ＴＤＤ方式の消費電力も、ＳＣＰＣ方式の２５％となっている。【０００５】
第２の理由は、ＥＴ技術を電力増幅器に使用するためには、電力増幅器に電力を供給するＥＴ電源部を、従来の電源部とは別に設ける必要があるが、携帯型の無線通信装置においては、ＥＴ電源部の占めるスペースが、無線通信装置の小型化の妨げとなることである。なお、従来の電源部は、例えば、送信回路へ給電する送信電源部、受信回路へ給電する受信電源部、制御回路へ給電する制御電源部から構成される。【０００６】
以上の理由により、ＴＤＤ方式ではＥＴ技術を採用していない。しかしながら、携帯無線機に代表されるように、可搬型の無線通信装置の場合、最近では、電池動作時間を長くすることが、防災上等の観点からも益々重要視されている。こうして、ＴＤＤ方式の無線通信装置においても、低消費電力化を実現することが重要となっている。【０００７】
下記の特許文献１には、送信部の電力増幅器に対してＥＴ電源部から電力を供給し、電力効率を高める技術が記載されている。
【先行技術文献】
【特許文献】
【０００８】
【特許文献１】特開２０１３‐５５４４９公報
【発明の概要】
【発明が解決しようとする課題】
【０００９】
本発明の目的は、電源部の占めるスペースが大きくなることを抑制しつつ、無線通信装置の消費電力を小さくすることができるＥＴ技術を提供することにある。
【課題を解決するための手段】
【００１０】
上記課題を解決するための、本願発明の無線通信装置の代表的な構成は、次のとおりである。すなわち、
無線信号を送信する送信期間と、無線信号を受信する受信期間とが、重ならないように設定された無線通信装置であって、
ＩＱ変調された変調信号を直交変調する直交変調部と、前記直交変調された信号を電力増幅する送信電力増幅部とを含む送信部と、
受信信号を復調して復調信号を出力する復調部を含む受信部と、
前記送信電力増幅部と前記受信部の電源である第１の電源部と、
前記直交変調部の電源である第２の電源部と、
前記直交変調部へ前記変調信号を出力し、前記復調部からの前記復調信号が入力される制御部とを備え、
前記第１の電源部は、前記受信期間では、前記受信部へ定電圧を出力し、前記送信期間では、前記送信電力増幅部へ、前記変調信号の包絡線に応じた変動電圧を出力することを特徴とする無線通信装置。【００１１】
また、本願発明の電源装置の代表的な構成は、次のとおりである。すなわち、
その値が変動する変動信号と切り換え信号とが入力され、
前記変動信号に応じてその値が変動する変動電圧と、定電圧とを、前記切り換え信号に基づき切り換えて出力することを特徴とする電源装置。
【発明の効果】
【００１２】
上記構成によれば、電源部の占めるスペースが大きくなることを抑制しつつ、無線通信装置の消費電力を小さくすることができる。
【図面の簡単な説明】
【００１３】
【図１】本発明の実施形態に係る無線通信装置の構成図である。
【図２】本発明の実施形態に係るＥＴ電源部の出力波形の概念図である。
【図３】本発明の実施形態の第１実施例に係るＥＴ電源部の構成図である。
【図４】本発明の実施形態の第２実施例に係るＥＴ電源部の構成図である。
【図５】本発明の実施形態の第３実施例に係るＥＴ電源部の構成図である。
【図６】本発明の実施形態に係る無線通信装置の処理フローチャートである。
【図７】従来技術に係るＥＴ電源部の出力波形の一例である。
【発明を実施するための形態】
【００１４】
以下、本発明の実施形態について説明する。
図１は、本発明の実施形態に係る無線通信装置の構成図である。本実施形態の無線通信装置１０は、ＴＤＭＡ／ＴＤＤ方式の可搬型無線通信装置であり、制御部１１と、音声入出力部１２と、操作表示部１３と、記憶部１４と、送信部２０と、受信部３０と、アンテナスイッチ４１と、送受信アンテナ４２と、電池５１と、ＥＴ電源部６０と、送信電源部５２と、制御電源部５３と、電力スイッチ５６と、ＴＣＸＯ（temperature compensated crystal oscillator：温度補償水晶発振器）４３とを含むように構成される。
【００１５】
ＴＤＤ方式であるので、無線通信装置１０は、無線通信装置１０が無線信号を送信する期間である送信期間Ｔｓと、無線通信装置１０が無線信号を受信する期間である受信期間Ｔｒとを繰り返す。つまり、送信期間Ｔｓと受信期間Ｔｒとが、時間的に重ならないよう互いに分離して設定されている。
【００１６】
また、本実施形態では、送信期間Ｔｓと受信期間Ｔｒとの間に、ギャップタイム（隙間期間）Ｔｇが設けられる。ギャップタイムＴｇは、送信期間Ｔｓと受信期間Ｔｒを切り換える準備を行うための時間である。例えば、送信期間Ｔｓと受信期間ＴｒとギャップタイムＴｇは、それぞれ１０ｍｓに設定される。
【００１７】
音声入出力部１２は、入力される音声を電気信号に変換するマイクや、電気信号を音声として出力するスピーカ等を含むように構成される。
【００１８】
操作表示部１３は、操作者からの指示入力を受け付ける操作部と、各種データを表示する表示部とを含むように構成される。操作部は、例えば、ＰＴＴ（Push To Talk）ボタンや、数字キーを有するキーパッドを含むように構成される。表示部は、例えば、液晶ディスプレイ（liquid crystal display：LCD）を含むように構成される。操作表示部１３を、操作部と表示部とが一体となったタッチパネル等で構成してもよい。
【００１９】
記憶部１４は、半導体メモリ（フラッシュメモリ、ＲＡＭ（Random Access Memory）、ＲＯＭ（read only memory）等）や磁気ディスク等により構成され、種々のデータ等を記憶する。
【００２０】
制御部１１は、例えば、音声入出力部１２のマイクから入力された音声信号をデジタル信号に変換し、該デジタル信号の音声符号化処理を行う。そして、音声符号化処理した音声信号をデジタル変調（ＩＱ変調）し、Ｉ信号とＱ信号を生成する。生成されたＩ信号とＱ信号は、アナログ変換された後、変調信号１１ｓ１として送信部２０へ出力される。このように、変調信号１１ｓ１は、音声信号等の送信信号をＩＱ変調したものである。
【００２１】
また、制御部１１は、受信部３０から出力された復調信号３４ｓをデジタル変換した後、音声復号化等の処理を行う。そして、音声復号化処理した音声信号を、アナログ変換した後、音声入出力部１２のスピーカへ出力する。
【００２２】
また、制御部１１は、送信期間Ｔｓであることを示すスイッチ制御信号１１ｓ２を出力する。例えば、スイッチ制御信号１１ｓ２は、送信期間Ｔｓでは“１”となり、送信期間Ｔｓ以外では“０”となる。このように、スイッチ制御信号１１ｓ２は、送信期間Ｔｓであるか否かを示す識別信号である。
【００２３】
また、制御部１１は、例えば送信期間Ｔｓ直前のギャップタイムＴｇにおいて、上述のＩ信号とＱ信号から、Ｉ信号とＱ信号の包絡線（エンビロープ）を計算し、送信期間Ｔｓにおいて、包絡線信号１１ｓ３を生成し、対応するＩ信号及びＱ信号と同期させて、ＥＴ電源部６０へ出力する。包絡線信号１１ｓ３は、変調信号１１ｓ１の包絡線を示すものであり、（（Ｉ信号の振幅）２＋（Ｑ信号の振幅）２）１／２  で求めることができる。
【００２４】
また、制御部１１は、受信期間Ｔｒにおいて、ＥＴ電源部６０の出力６０ａを所定値の電圧とするための、定電圧生成用パルス信号１１ｓ４を生成し、ＥＴ電源部６０へ出力する。定電圧生成用パルス信号１１ｓ４は、受信部３０へ出力される定電圧を生成するためのパルス信号である。定電圧生成用パルス信号１１ｓ４のパルス幅と周期は、ＥＴ電源部６０の出力６０ａが、所定値の定電圧となるように、予め調べられ設定される。
【００２５】
制御部１１は、ハードウエア構成としては、ＣＰＵ（Central Processing Unit）と制御部１１の動作プログラム等を格納するメモリとを備えている。ＣＰＵは、ＴＣＸＯ４３からの基準クロック信号により、ＣＰＵ内の処理用クロック信号を生成してもよい。そして、該生成した処理用クロック信号を用いて、上記動作プログラムに従って動作する。なお、制御部１１は、ＣＰＵの処理を補助するためのＤＳＰ（Digital Signal Processor）やＦＰＧＡ（Field Programmable Gate Array）を備えるよう構成してもよい。
【００２６】
送信部２０は、直交変調部（ＭＯＤ）２１と、送信用ミキサ（ＭＩＸ）２２と、プリアンプ（ＡＭＰ）２３と、送信電力増幅部（ＰＡ）２４と、アイソレータ（ＩＳＯ）２５と、送信用フィルタ（ＦＩＬ）２６と、送信用ＰＬＬ（phase locked loop：位相同期回路）２７と、送信用ＶＣＯ（Ｖoltage Ｃontrolled Ｏscillator：電圧制御発振器）２８とを含むようによう構成される。
【００２７】
直交変調部２１は、制御部１１でＩＱ変調されて出力された送信信号である変調信号１１ｓ１（アナログ変換されたＩ信号とＱ信号）をアナログ直交変調し、該直交変調された送信信号を、送信用ミキサ２２へ出力する。変調信号１１ｓ１は、例えば、上述したように、音声入出力部１２のマイクから入力された音声信号に基づき生成される。
【００２８】
送信用ミキサ２２は、送信用ＶＣＯ２８から出力された搬送波信号と、直交変調部２１から出力された変調信号とを混合（つまり乗算）し、該混合された送信信号を、プリアンプ２３へ出力する。プリアンプ２３は、送信用ミキサ２２から出力された送信信号を増幅する。
【００２９】
送信用ＶＣＯ２８は、送信用ＰＬＬ２７の制御を受けて、所定周波数の搬送波信号を生成する。送信用ＰＬＬ２７は、制御部１１から指示された周波数に基づき、送信用ＶＣＯ２８の出力が所定周波数となるように、送信用ＶＣＯ２８を制御する。
【００３０】
送信電力増幅部２４は、プリアンプ２３から出力された送信信号２３ｓを、電力増幅する。このとき、送信電力増幅部２４は、ＥＴ電源部６０から電力を供給される。詳しくは、送信期間Ｔｓの間のみ、ＥＴ電源部６０から、電力スイッチ（Ｐ.ＳＷ）５６を介して、送信電力増幅部２４の電源が供給される。なお、送信電力増幅部２４以外の送信部２０は、送信期間Ｔｓにおいて、送信電源部５２から電源が供給される。
【００３１】
アイソレータ２５は、送信電力増幅部２４から出力された送信信号２４ｓが、逆方向に進行しないようにする。送信用フィルタ２６は、アイソレータ２５から出力された送信信号２５ｓから、不要な周波数成分を除去する。こうして、送信用フィルタ２６から出力された送信信号２６ｓは、アンテナスイッチ４１を介して、送受信アンテナ４２から無線信号（電波）として空中へ放射される。
【００３２】
送受信アンテナ４２は、他の無線通信装置や基地局装置との間で無線信号を送受信するためのアンテナ（空中線）である。アンテナスイッチ４１は、送信期間Ｔｓと受信期間Ｔｒで送受信アンテナ４２を切り換え接続するアンテナスイッチである。アンテナスイッチ４１は、制御部１１から出力されたスイッチ制御信号１１ｓ２に基づき、送受信アンテナ４２を、送信用と受信用とに切り換える。
【００３３】
具体的には、アンテナスイッチ４１は、送信期間Ｔｓでは、送信用フィルタ２６の出力と送受信アンテナ４２とを接続し、受信期間Ｔｒでは、後述する受信用フィルタ３１の入力と送受信アンテナ４２とを接続する。
【００３４】
受信部３０は、受信用フィルタ（ＦＩＬ）３１と、受信電力増幅部（ＬＮＡ）３２と、受信用ミキサ（ＭＩＸ）３３と、復調部（ＤＥＭＯ）３４と、受信用ＰＬＬ３５と、受信用ＶＣＯ３６とを含むようによう構成される。
【００３５】
送受信アンテナ４２は、他の無線通信装置や基地局装置からの無線信号を受信し、該受信信号をアンテナスイッチ４１を介して、受信用フィルタ３１へ出力する。受信用フィルタ３１は、送受信アンテナ４２で受信した受信信号から、不要な周波数成分を除去する。受信電力増幅部３２は、受信用フィルタ３１から出力された受信信号３１ｓを増幅する。
【００３６】
受信用ミキサ３３は、受信用ＶＣＯ３６から出力された搬送波周波数の信号と、受信電力増幅部３２から出力された受信信号３２ｓとを混合（つまり乗算）し、受信信号３２ｓから搬送波を除去する。そして、搬送波を除去した受信信号３３ｓを、復調部３４へ出力する。
【００３７】
受信用ＶＣＯ３６は、受信用ＰＬＬ３５の制御を受けて、搬送波と同じ周波数の信号を生成する。受信用ＰＬＬ３５は、制御部１１から指示された周波数に基づき、受信用ＶＣＯ３６の出力が所定周波数となるように、受信用ＶＣＯ３６を制御する。
【００３８】
復調部３４は、受信用ミキサ３３から出力された受信信号３３ｓを復調し、該復調された復調信号（アナログのＩ信号とＱ信号）３４ｓを、制御部１１へ出力する。制御部１１は、復調部３４から出力された復調信号３４ｓをデジタル変換した後、音声復号して音声信号へ変換し、さらにアナログ変換した後、音声入出力部１２のスピーカへ出力する。
【００３９】
電池５１は、無線通信装置１０が動作するための電力を、無線通信装置１０へ供給する電源装置であり、例えば、リチウムイオン電池で構成される。電池５１は、ＥＴ電源部６０と送信電源部５２と制御電源部５３とに対し、例えば、ＤＣ（直流）１２ボルトの電圧で、電力を供給する。
【００４０】
ＥＴ電源部６０は、電池５１から供給された１２ボルトの電力を、電圧を変換して、ＥＴ電源部出力６０ａとして出力する電源装置である。ＥＴ電源部出力６０ａは、電力増幅部２４と受信部３０の電源となる。
【００４１】
詳しくは、上述したように、ＥＴ電源部６０は、送信期間Ｔｓのみ、電力スイッチ５６を介して送信電力増幅部２４へ、変調信号１１ｓ１の包絡線に応じて変動するＥＴ（包絡線追跡）電圧を出力する。つまり、送信期間Ｔｓのみ、ＥＴ電源部出力６０ａは、送信電力増幅部２４の電源となる。こうして、送信期間Ｔｓにおいて、送信電力増幅部２４の電源は、変調信号１１ｓ１の包絡線に応じた電圧、つまり、送信電力増幅部２４の使用電力に応じた電圧となる。
【００４２】
また、ＥＴ電源部６０は、受信期間Ｔｒの間は、電力スイッチ５６を介して受信部３０へ、固定値の定電圧（例えば５ボルト）を出力する。つまり、受信期間Ｔｒの間、ＥＴ電源部出力６０ａは、受信部３０の電源となる。詳しくは、ＥＴ電源部６０は、受信期間Ｔｒの間、電力を消費する構成部である、受信電力増幅部３２と受信用ミキサ３３と復調部３４とに対し、電源を供給する。受信用フィルタ３１は、電力を消費しない。受信用ＰＬＬ３５と受信用ＶＣＯ３６に対しては、後述するように、制御電源部５３から電源を供給する。
【００４３】
電力スイッチ５６は、ＥＴ電源部出力６０ａを、送信期間Ｔｓでは（つまり、スイッチ制御信号１１ｓ２が“１”の場合）、送信電力増幅部（ＰＡ）２４へ出力し、受信期間Ｔｒでは（つまり、スイッチ制御信号１１ｓ２が“０”の場合）、受信部３０（詳しくは、受信電力増幅部３２と受信用ミキサ３３と復調部３４）へ出力する。なお、電力スイッチ５６をＥＴ電源部６０に含めるように構成してもよい。
【００４４】
また、ＥＴ電源部６０は、送信期間Ｔｓ直後のギャップタイムＴｇにおいて、ＥＴ電源部出力６０ａを、送信期間Ｔｓ用のＥＴ電圧から、受信期間Ｔｒ用の定電圧へ切り換える。また、ＥＴ電源部６０は、受信期間Ｔｒ直後のギャップタイムＴｇにおいて、ＥＴ電源部出力６０ａを、受信期間Ｔｒ用の定電圧から送信期間Ｔｓ用のＥＴ電圧へ切り換える。
【００４５】
なお、ギャップタイムＴｇが長い場合、ＥＴ電源部６０が、一旦、電源供給を停止するよう構成してもよい。この場合、そのギャップタイムＴｇの次の送信期間Ｔｓ又は受信期間Ｔｒに間に合うように、電源供給を再開する必要がある。
【００４６】
送信電源部５２は、電池５１から供給されたＤＣ１２ボルトの電力を、例えば、ＤＣ５ボルトに変換する。そして、上述したように、送信期間Ｔｓにおいて、送信電力増幅部２４以外の送信部２０へ電源を供給する。詳しくは、送信電源部５２は、送信期間Ｔｓの間、電力を消費する構成部である、直交変調部２１と送信用ミキサ２２とプリアンプ２３とに対し、出力５２ａにより電源を供給する。アイソレータ２５と送信用フィルタ２６は、電力を消費しない。送信用ＰＬＬ２７と送信用ＶＣＯ２８に対しては、後述するように、制御電源部５３から電源を供給する。
【００４７】
本実施形態では、送信期間Ｔｓのみ、直交変調部２１と送信用ミキサ２２とプリアンプ２３とに対し、送信電源部５２から電源を供給するよう構成した。このようにすると、送信電源部５２の消費電力を抑制することができる。しかし、送信期間Ｔｓ以外の期間における送信電源部５２の消費電力は小さいので、例えば受信期間Ｔｒにおいても送信電源部５２から電源を供給、あるいは、常時、送信電源部５２から電源を供給するよう構成することも可能である。
【００４８】
制御電源部５３は、電池５１から供給されたＤＣ１２ボルトの電力を、例えば、ＤＣ３．３ボルトに変換する。そして、制御電源部５３は、制御部１１と音声入出力部１２と操作表示部１３と記憶部１４とに対し、出力５３ａにより、常時、ＤＣ３．３ボルトの電源を供給する。
【００４９】
また、制御電源部５３は、送信用ＰＬＬ２７と送信用ＶＣＯ２８と受信用ＰＬＬ３５と受信用ＶＣＯ３６とＴＣＸＯ４３とに対し、常時、ＤＣ３．３ボルトの電源を供給する。送信用ＰＬＬ２７と送信用ＶＣＯ２８は、送信期間Ｔｓ以外においても、動作させておく必要があり、受信用ＰＬＬ３５と受信用ＶＣＯ３６は、受信期間Ｔｒ以外においても、動作させておく必要があるからである。
【００５０】
なお、制御部１１と音声入出力部１２と操作表示部１３と記憶部１４とに対し電源を供給する電源部とは別に、送信用ＰＬＬ２７と送信用ＶＣＯ２８と受信用ＰＬＬ３５と受信用ＶＣＯ３６とＴＣＸＯ４３とに対し電源を供給する電源部を設けるように構成することもできる。
【００５１】
ちなみに、各電源部の消費電力の比率は、例えば、制御電源部５３において４０％、送信電源部５２において１０％、送信時のＥＴ電源部６０において５０％、受信時のＥＴ電源部６０において１０％である。
【００５２】
図２は、本発明の実施形態に係るＥＴ電源部の出力波形の概念図である。縦軸は、ＥＴ電源部出力６０ａの大きさ（電圧値）、横軸は時間である。図２では、送信期間Ｔｓから受信期間Ｔｒを経て、再び送信期間Ｔｓへ移る場合のＥＴ電源部出力６０ａが示されている。また、送信期間Ｔｓと受信期間Ｔｒとの間には、ギャップタイムＴｇが設けられている。
【００５３】
上述したように、送信期間Ｔｓでは、ＥＴ電源部出力６０ａは、包絡線信号１１ｓ３に応じた波形となる。すなわち、送信期間Ｔｓは、ＥＴ（包絡線追跡）電圧出力区間である。図２の例では、送信期間Ｔｓにおいて、ＥＴ電源部出力６０ａは、約１２ボルトと約２ボルトの間で変動している。送信電力増幅部２４の電源電圧が、包絡線信号１１ｓ３に応じた波形になることにより、送信電力増幅部２４の効率を向上させ、電力のロスを低減することが可能となる。
【００５４】
送信期間ＴｓにおけるＥＴ電源部出力６０ａであるＥＴ電圧は、包絡線信号１１ｓ３と相似する波形だけでなく、包絡線信号１１ｓ３に近似する波形の電圧も含むものである。すなわち、包絡線信号１１ｓ３に応じた電圧とは、包絡線信号１１ｓ３に相似する電圧だけでなく、近似する電圧をも含む。
【００５５】
ＥＴ電圧は、包絡線信号１１ｓ３と相似形であることが好ましいが、相似形に限られるものではない。相似とまで言えないが包絡線信号１１ｓ３に近似していれば、ある程度、送信電力増幅部２４の効率を向上させ、電力のロスを低減することが可能となる。ＥＴ電源部出力６０ａが包絡線信号１１ｓ３に近似しているとは、包絡線信号１１ｓ３が山のときはＥＴ電源部出力６０ａも山となり、包絡線信号１１ｓ３が谷のときはＥＴ電源部出力６０ａも谷となる状態である。少なくとも、送信期間ＴｓのＥＴ電源部出力６０ａが、受信期間ＴｒのＥＴ電源部出力６０ａ（定電圧）よりも、包絡線信号１１ｓ３に近似していれば、一定程度、電力のロスを低減することが可能となる。
【００５６】
受信期間Ｔｒでは、ＥＴ電源部出力６０ａは、ほぼ固定された電圧値を示す。図２の例では、ＥＴ電源部出力６０ａは、約５ボルトの定電圧である。すなわち、受信期間Ｔｒは、定電圧出力区間である。この定電圧は、受信部３０が正常動作する範囲内での、小さい電圧変動を含むものである。
【００５７】
ギャップタイムＴｇにおいて、ＥＴ電源部出力６０ａは、送信期間Ｔｓ用のＥＴ電圧から、受信期間Ｔｒ用の定電圧へ、又は、受信期間Ｔｒ用の定電圧から送信期間Ｔｓ用のＥＴ電圧へ切り換えられる。この切り換えに要する時間は極めて短い（少なくともギャップタイムＴｇより短い）ので、切り換え時において、図２に示すように、ＥＴ電源部出力６０ａは連続波形となる。
【００５８】
ここで、従来は、送信部の電力増幅器に対してのみＥＴ電源部から電力を供給していたので、送信部をＴＤＤ動作（つまり間欠動作）させた場合、ＥＴ電源部からみた負荷（電力増幅器の入力インピーダンス）が急激に変動する。そのため、ＥＴ電源部から安定した電圧を供給することが困難となる、つまり、電力増幅器の効率向上が困難となる。
【００５９】
図７は、従来技術に係るＥＴ電源部の出力波形の一例である。図７の縦軸は電圧、横軸は時間である。７１は、実際のＥＴ電源部の出力である。７２は、本来あるべきＥＴ電源部の出力である。なお、７２は、立ち上がり部分が７１と重なるため、時間軸を右方に少しシフトさせ、見易くしている。
【００６０】
図７に示すように、従来技術に係るＥＴ電源部は、送信期間Ｔｓのみ、送信部の電力増幅器に対して電力を供給している。したがって、受信期間Ｔｒから送信期間Ｔｓへ遷移するとき、送信期間Ｔｓの開始時刻ｔ０において、ＥＴ電源部の出力７１が０ボルトから所定の電圧値（例えば５ボルト）に向けて立ち上がる。このとき、出力７１は、ＥＴ電源部内のインダクタンスの影響により、オーバーシュートして、本来あるべき出力７２を上回る。そして、ある程度の時間が経過した後、所定の電圧値に収束する。このため、適切な大きさの安定した電圧を、ＥＴ電源部から供給することが困難となる、つまり、電力増幅器の効率向上が困難となる。
【００６１】
これに対して、本実施形態に係るＥＴ電源部６０は、受信期間Ｔｒ、及び、通信開始前の待ち受け状態のとき（後述する図６のステップＳ１）は、定電圧の電力を受信部３０に供給しており、送信期間Ｔｓの開始時に０ボルトから立ち上げることがない。そのため、本実施形態に係るＥＴ電源部６０は従来技術に比べて、送信期間Ｔｓの開始時のオーバーシュートを大幅に減らすことができ、その結果、送信期間Ｔｓの特に初期期間の電力増幅効率を向上することができる。
【００６２】
図３は、本実施形態の第１実施例に係るＥＴ電源部の構成図である。
図３に示すように、第１実施例のＥＴ電源部１６０は、図１のＥＴ電源部６０に対応するもので、変動電圧生成用パルス信号生成部（ＰＷＭ部）１６１と、パルススイッチ部（ＰＷＭスイッチ部）１６２と、スイッチングアンプ１６３とを含むように構成される。図１と同じ構成や信号には同符号を付し、説明を省略する。なお、ＰＷＭは、Pulse Width Modulation（パルス幅変調）を意味する。
【００６３】
ＥＴ電源部１６０は、制御部１１から、スイッチ制御信号１１ｓ２と包絡線信号１１ｓ３と定電圧生成用パルス信号１１ｓ４とを取得する。定電圧生成用パルス信号１１ｓ４は、図３の例では制御部１１から取得するが、制御部１１以外から取得してもよく、例えば、ＥＴ電源部１６０内で生成してもよい。
【００６４】
スイッチングアンプ１６３は、パルス信号が入力されると、該入力されたパルス信号のパルス幅に応じた電圧を生成し出力する。変動電圧生成用パルス信号生成部１６１は、スイッチングアンプ１６３でＥＴ電圧（変調信号１１ｓ１の包絡線に応じた変動電圧）を生成するための変動電圧生成用パルス信号１６１ｓを、包絡線信号１１ｓ３に基づき生成し出力する。この変動電圧生成用パルス信号１６１ｓは、変調信号１１ｓ１の包絡線に応じたパルス信号、詳しくは、変調信号１１ｓ１の包絡線の大きさに応じたパルス幅のパルス信号である。パルススイッチ部１６２は、スイッチ制御信号１１ｓ２に基づき、定電圧生成用パルス信号１１ｓ４と変動電圧生成用パルス信号１６１ｓの内、いずれか一方をスイッチングアンプ１６３へ出力する。
【００６５】
具体的には、送信期間Ｔｓでは、パルススイッチ部１６２が、変動電圧生成用パルス信号生成部１６１の出力（変動電圧生成用パルス信号１６１ｓ）を、スイッチングアンプ１６３へ出力する。変動電圧生成用パルス信号１６１ｓは、ＥＴ電圧生成用のパルス信号である。また、受信期間Ｔｒでは、パルススイッチ部１６２が、定電圧生成用の定電圧生成用パルス信号１１ｓ４を、スイッチングアンプ１６３へ出力する。
【００６６】
詳しくは、送信期間Ｔｓでは、スイッチ制御信号１１ｓ２が“１”になる。スイッチ制御信号１１ｓ２が“１”の場合、パルススイッチ部１６２は、変動電圧生成用パルス信号１６１ｓを出力する。受信期間Ｔｒでは、スイッチ制御信号１１ｓ２が“０”になる。スイッチ制御信号１１ｓ２が“０”の場合、パルススイッチ部１６２は、定電圧生成用パルス信号１１ｓ４を出力する。このように、パルススイッチ部１６２は、ＥＴ電圧生成用のパルス信号と定電圧生成用のパルス信号とを、スイッチ制御信号１１ｓ２に応じて選択し、スイッチングアンプ１６３へ出力する。
【００６７】
スイッチングアンプ１６３には、電池５１から定電圧の電源が供給されている。スイッチングアンプ１６３は、変動電圧生成用パルス信号１６１ｓが入力されると、包絡線信号１１ｓ３に追従したＥＴ電圧を生成し出力する。また、スイッチングアンプ１６３は、定電圧生成用パルス信号１１ｓ４が入力されると、所定値の定電圧を生成し出力する。前述したように、定電圧生成用パルス信号１１ｓ４のパルス幅と周期は、定電圧生成用パルス信号１１ｓ４が入力されたスイッチングアンプ１６３が、所定値の定電圧を生成するように、予め調べられ、制御部１１で設定される。そして、スイッチングアンプ１６３の出力は、ＥＴ電源部出力１６０ａとして、電力スイッチ５６へ出力される。
【００６８】
前述したように、電力スイッチ５６は、ＥＴ電源部出力１６０ａを、送信期間Ｔｓでは（つまり、スイッチ制御信号１１ｓ２が“１”の場合）、送信電力増幅部（ＰＡ）２４へ出力し、受信期間Ｔｒでは（つまり、スイッチ制御信号１１ｓ２が“０”の場合）、受信部３０（詳しくは、受信電力増幅部３２と受信用ミキサ３３と復調部３４）へ出力する。
【００６９】
変動電圧生成用パルス信号生成部１６１について詳しく説明する。
変動電圧生成用パルス信号生成部１６１は、ＤＡＣ１６１ａと、三角波発生回路１６１ｂと、コンパレータ１６１ｃとを備える。ＤＡＣ１６１ａは、デジタルアナログコンバータであり、制御部１１から取得した包絡線信号１１ｓ３をアナログ信号に変換し、コンパレータ１６１ｃへ出力する。三角波発生回路１６１ｂは、一定振幅の三角波を周期的に生成し、繰り返し出力する。コンパレータ１６１ｃは、ＤＡＣ１６１ａからのアナログ変換された包絡線信号１１ｓ３と、三角波発生回路１６１ｂからの三角波信号とに基づき、変動電圧生成用パルス信号１６１ｓを生成し、パルススイッチ部１６２へ出力する。
【００７０】
変動電圧生成用パルス信号１６１ｓは、三角波信号と同周期の繰り返しの矩形パルスであり、ＤＡＣ１６１ａの出力レベルが高いほど、つまり、包絡線信号１１ｓ３が大きいほど、パルス幅が大きくなる。
【００７１】
スイッチングアンプ１６３は、例えば、公知のＤ級アンプの出力にキャパシタを付加し、平滑な出力が得られるように構成されている。スイッチングアンプ１６３は、入力信号のパルス幅の大きさに応じて、その出力レベルが変動する。つまり、入力信号のパルス幅が大きくなると、その出力レベルが大きくなり、入力信号のパルス幅が小さくなると、その出力レベルが小さくなる。こうして、スイッチングアンプ１６３は、包絡線信号１１ｓ３に追従した出力、つまり、包絡線信号１１ｓ３に応じた大きさの出力（ＥＴ電源部出力１６０ａ）を得ることができる。
【００７２】
図４は、本実施形態の第２実施例に係るＥＴ電源部の構成図である。
図４に示すように、第２実施例のＥＴ電源部２６０は、図１のＥＴ電源部６０に対応するもので、スイッチングアンプ１６３を含むように構成される。つまり、第２実施例のＥＴ電源部２６０は、第１実施例のＥＴ電源部１６０から、変動電圧生成用パルス信号生成部１６１とパルススイッチ部１６２とを除いた構成となっている。そして、第１実施例の変動電圧生成用パルス信号生成部１６１とパルススイッチ部１６２の機能が、第２実施例の制御部２１１に含まれる構成となっている。つまり、第２実施例の制御部２１１は、第１実施例の制御部１１に、第１実施例の変動電圧生成用パルス信号生成部１６１とパルススイッチ部１６２の機能を追加した構成となっている。図１及び図３と同じ構成や信号には同符号を付し、説明を省略する。
【００７３】
ＥＴ電源部２６０は、制御部２１１から、スイッチ制御信号１１ｓ２と変動電圧生成用パルス信号１６１ｓと定電圧生成用パルス信号１１ｓ４とを取得する。第１実施例で説明したように、変動電圧生成用パルス信号１６１ｓは、送信期間Ｔｓで用いるＥＴ電圧生成用のパルス信号である。定電圧生成用パルス信号１１ｓ４は、受信期間Ｔｒ用いる定電圧生成用のパルス信号である。
【００７４】
制御部２１１は、送信期間Ｔｓでは、定電圧生成用パルス信号１１ｓ４を出力せず、変動電圧生成用パルス信号１６１ｓを、スイッチングアンプ１６３へ出力する。また、受信期間Ｔｒでは、変動電圧生成用パルス信号１６１ｓを出力せず、定電圧生成用パルス信号１１ｓ４を、スイッチングアンプ１６３へ出力する。
【００７５】
第１実施例と同様に、送信期間Ｔｓでは、包絡線信号１１ｓ３に追従したＥＴ電圧が、ＥＴ電源部出力２６０ａとして出力され、受信期間Ｔｒでは、所定値の定電圧が、ＥＴ電源部出力２６０ａとして出力される。
【００７６】
こうして、第２実施例のＥＴ電源部２６０においても、第１実施例のＥＴ電源部１６０と同様の出力がなされる。第２実施例では、第１実施例の変動電圧生成用パルス信号生成部１６１とパルススイッチ部１６２を省くことができるので、制御部２１１をＬＳＩ（Large Scale Integration）やＦＰＧＡで構成した場合、第１実施例よりもハード構成を小型化できる。
【００７７】
図５は、本実施形態の第３実施例に係るＥＴ電源部の構成図である。
図５に示すように、第３実施例のＥＴ電源部３６０は、図１のＥＴ電源部６０に対応するもので、変動電圧生成用パルス信号生成部１６１とスイッチングアンプ１６３とスイッチ部３６１とを含むように構成される。つまり、第３実施例のＥＴ電源部３６０は、第１実施例のＥＴ電源部１６０から、パルススイッチ部１６２を除き、スイッチ部３６１を追加した構成となっている。そして、スイッチ部３６１は、スイッチングアンプ１６３の出力１６０ａと、電池５１の出力とを、切り換えて出力する構成となっている。図１及び図３と同じ構成や信号には同符号を付し、説明を省略する。
【００７８】
ＥＴ電源部３６０は、制御部１１から、スイッチ制御信号１１ｓ２と包絡線信号１１ｓ３とを取得する。スイッチ部３６１は、スイッチ制御信号１１ｓ２に応じて、入力ａと入力ｂのいずれかを出力するように構成されている。具体的には、スイッチ制御信号１１ｓ２が“１”の場合（つまり送信期間Ｔｓの場合）は、入力ａを出力し、スイッチ制御信号１１ｓ２が“０”の場合（つまり受信期間Ｔｒの場合）は、入力ｂを出力する。
【００７９】
すなわち、スイッチ部３６１は、送信期間Ｔｓでは、ＥＴ電圧であるスイッチングアンプ１６３の出力１６０ａ（入力ａ）を、電力スイッチ５６へ出力する。また、受信期間Ｔｒでは、定電圧である電池５１の出力（入力ｂ）を、電力スイッチ５６へ出力する。
【００８０】
こうして、第１実施例と同様に、送信期間Ｔｓでは、包絡線信号１１ｓ３に追従したＥＴ電圧が、ＥＴ電源部出力３６０ａとして出力され、受信期間Ｔｒでは、所定値の定電圧が、ＥＴ電源部出力３６０ａとして出力される。
【００８１】
ただし、受信期間Ｔｒで出力されるＥＴ電源部出力３６０ａは、電圧値が、電池５１の出力電圧となる。ＥＴ電源部出力３６０ａは、電力スイッチ５６を介して受信部３０へ供給されるが、受信部３０への供給電圧を電池５１の出力電圧と異ならせたい場合は、電力スイッチ５６から受信部３０への電源供給ラインの途中で、電圧変換部を設ければよい。この電圧変換部は、例えば、公知のＤＣ／ＤＣコンバータ等で構成できる。あるいは、スイッチ部３６１の入力ｂに、電池５１の出力でなく、所望の出力電圧値（つまり受信部３０への供給電圧）を有する電源装置の出力を接続するように構成してもよい。
【００８２】
図６は、本発明の実施形態に係る無線通信装置の処理フローチャートである。この処理フローにおいて、無線通信装置１０の動作は制御部１１により制御される。この処理では、ＥＴ電源部６０として、第１実施例のＥＴ電源部１６０を用いている。この処理フローは、受信待ち受け状態で始まり、受信待ち受け状態から通信状態になると、送信状態と受信状態とを、通信終了まで繰り返す。受信待ち受け状態とは、他の無線通信装置や基地局装置からの無線信号受信を待ち受ける状態である。
【００８３】
まず、受信待ち受け状態（図６のステップＳ１）において、ＥＴ電源部１６０は、所定の固定電圧値を出力する（ステップＳ２）。このように、受信待ち受け状態では、ＥＴ電源部１６０は、受信期間Ｔｒと同様に動作し、ＥＴ電源部出力１６０ａは、所定の固定電圧値となる。通信が開始されるまでの間（ステップＳ３でＮｏ）、受信待ち受け状態が続き、ＥＴ電源部出力１６０ａは、所定の固定電圧値である。
【００８４】
その後、例えば、音声入出力部１２のＰＴＴボタンが押下されると、通信が開始され通信状態になる（ステップＳ３でＹｅｓ）。通信状態では、まず、ギャップタイムＴｇになり、その後、送信期間Ｔｓになると、音声等のデータ送信が開始される。ギャップタイムＴｇでは、送信準備が行われる（ステップＳ４）。
【００８５】
このとき、送信準備の１つとして、送信データのＩ信号とＱ信号に基づき、Ｉ信号とＱ信号の包絡線（エンビロープ）が、制御部１１で計算される（ステップＳ５）。そして、送信期間Ｔｓになると、包絡線信号１１ｓ３が、制御部１１からＥＴ電源部１６０へ出力される。すると、ＥＴ電源部１６０は、ＥＴ動作を行う（ステップＳ６）。すなわち、ＥＴ電源部１６０は、包絡線信号１１ｓ３に追従したＥＴ電圧を出力する。
【００８６】
送信期間Ｔｓが終了した後、ギャップタイムＴｇになると、受信準備が行われる（ステップＳ７）。このとき、受信準備の１つとして、ＥＴ電源部１６０の出力１６０ａを、所定値の電圧とするための定電圧生成用パルス信号１１ｓ４を生成し、制御部１１からＥＴ電源部１６０へ出力する。すると、ＥＴ電源部１６０は、所定の固定電圧を出力する。そして、ギャップタイムＴｇの終了後の受信期間Ｔｒにおいても、ＥＴ電源部１６０は、所定の固定電圧を出力する（ステップＳ８）。
【００８７】
その後、通信終了しなかった場合は（ステップＳ９でＮｏ）、ステップＳ４の送信準備に戻り、ギャップタイムＴｇにおいて、Ｉ信号とＱ信号の包絡線（エンビロープ）が、制御部１１で計算された（ステップＳ５）後、送信期間Ｔｓになる（ステップＳ６）。通信終了した場合は（ステップＳ９でＹｅｓ）、ステップＳ１の受信待ち受け状態に戻る。
【００８８】
以上説明したように、図６の例では、受信待ち受け状態から送信が開始されるまで、ＥＴ電源部出力１６０ａは、所定の固定電圧値となる。次に、送信期間Ｔｓになると、ＥＴ電源部出力１６０ａは、包絡線信号１１ｓ３に追従するＥＴ電圧に変わる。次に、送信期間Ｔｓが終了し、ギャップタイムＴｇになると、ＥＴ電源部出力１６０ａは、所定の固定電圧値に変わる。その後、受信期間ＴｒとギャップタイムＴｇを経て、送信期間Ｔｓになると、ＥＴ電源部出力１６０ａは、包絡線信号１１ｓ３に追従するＥＴ電圧に変わる。
【００８９】
本実施形態によれば、少なくとも次の効果を奏する。
（ａ）ＩＱ変調された変調信号を直交変調する直交変調部と、直交変調された信号を電力増幅する送信電力増幅部とを含む送信部と、受信信号を復調して復調信号を出力する復調部を含む受信部と、送信電力増幅部と受信部の電源である第１の電源部と、直交変調部の電源である第２の電源部と、直交変調部へ変調信号を出力し、復調部からの復調信号が入力される制御部とを備える無線通信装置において、第１の電源部は、受信期間では、受信部へ定電圧を出力し、送信期間では、送信電力増幅部へ、変調信号の包絡線に応じた変動電圧を出力するよう構成したので、電源部の占めるスペースが大きくなることを抑制しつつ、無線通信装置の消費電力を小さくすることができる。
（ｂ）第１の電源部が、入力されたパルス信号のパルス幅に応じた電圧を出力し、該出力により第１の電源部の出力を形成するスイッチングアンプを含み、送信期間では、変動電圧生成用パルス信号がスイッチングアンプへ入力され、スイッチングアンプから変動電圧を出力するよう構成したので、第１の電源部を容易に実現できる。
（ｃ）第１の電源部が、変動電圧生成用パルス信号を生成し出力する変動電圧生成用パルス信号生成部を含むよう構成したので、第１の電源部以外の構成を簡素化できる。
（ｄ）第１の電源部が、定電圧生成用パルス信号と変動電圧生成用パルス信号の内、いずれか一方をスイッチングアンプへ出力するパルススイッチ部を含み、パルススイッチ部は、送信期間では、変動電圧生成用パルス信号を出力し、受信期間では、定電圧生成用パルス信号を出力し、スイッチングアンプは、送信期間では、変動電圧を出力し、受信期間では、定電圧を出力するよう構成したので、第１の電源部を容易に実現できる。
（ｅ）制御部が、送信期間であるか否かを示す識別信号を第１の電源部へ出力するとともに、送信期間では、包絡線信号を第１の電源部へ出力し、受信期間では、定電圧生成用パルス信号を第１の電源部へ出力し、変動電圧生成用パルス信号生成部は、包絡線信号に基づき、変動電圧生成用パルス信号を生成し、パルススイッチ部は、識別信号に基づき、送信期間では、変動電圧生成用パルス信号を出力し、受信期間では、定電圧生成用パルス信号を出力するよう構成したので、簡素な構成により無線通信装置を実現できる。
（ｆ）送信期間と受信期間との間にギャップタイムが設けられ、第１の電源部は、送信期間直後のギャップタイムにおいて、その出力を、変動電圧から定電圧へ切り換え、受信期間直後のギャップタイムにおいて、その出力を、定電圧から変動電圧へ切り換えるように構成したので、変動電圧と定電圧の切り換えが容易になる。
【００９０】
なお、本発明は、上記実施形態に限定されるものではなく、その要旨を逸脱しない範囲で種々に変更が可能であることはいうまでもない。
【００９１】
上記実施形態では、送信期間と受信期間とを交互に繰り返す無線通信装置の場合を説明したが、本発明は、そのような無線通信装置に限られるものではない。例えば、第１の期間と第２の期間とが重ならないように設定された装置において、その値が変動する変動信号と、第１の期間を示す切り換え信号とが入力され、前記切り換え信号に基づき、第１の期間では、前記変動信号に応じた変動電圧値を出力し、第２の期間では、定電圧値を出力するよう構成することもできる。
【００９２】
また、上記実施形態では、ギャップタイムを設けるように構成したが、ギャップタイムを設けないように構成することも可能である。この場合、次の送信期間に用いる包絡線（エンビロープ）の計算は、その送信期間の直前の受信期間において行うようにすればよい。
【００９３】
また、本発明は、その値が変動する変動信号と切り換え信号とが入力され、前記変動信号に応じてその値が変動する変動電圧と、定電圧とを、前記切り換え信号に基づき切り換えて出力する電源装置として把握することができる。
【００９４】
また、本発明は、本発明に係る処理を実行する装置としてだけでなく、方法として把握することができる。或いは、このような方法を実現するためのプログラムや当該プログラムを記録する記録媒体などとして把握することができる。
【００９５】
また、本発明は、無線通信装置の構成上、各種の周波数に対応できる事から、ＴＤＤシステムであれば、ソフトウエアラジオ化におけるマルチバンド無線部のハードウエア・アーキテクチャとして使用できる。更に、近年注目されているホワイトスペース（２次利用）無線部のハードウエア・アーキテクチャとしても使用できる。
【符号の説明】
【００９６】
１０…無線通信装置、１１…制御部、１１ｓ１…変調信号、１１ｓ２…スイッチ制御信号（識別信号）、１１ｓ３…包絡線（エンビロープ）信号、１１ｓ４…定電圧生成用パルス信号、１２…音声入出力部、１３…操作表示部、１４…記憶部、２０…送信部、２１…直交変調部（ＭＯＤ）、２２…送信用ミキサ（送信用ＭＩＸ）、２３…プリアンプ（ＡＭＰ）、２４…送信電力増幅部（ＰＡ）、２５…アイソレータ（ＩＳＯ）、２６…送信用フィルタ（送信用ＦＩＬ）、２７…送信用ＰＬＬ、２８…送信用ＶＣＯ、３０…受信部、３１…受信用フィルタ（受信用ＦＩＬ）、３２…受信電力増幅部（ＬＮＡ）、３３…受信用ミキサ（受信用ＭＩＸ）、３４…復調部（ＤＥＭＯ）、３５…受信用ＰＬＬ、３６…受信用ＶＣＯ、４１…アンテナスイッチ（Ａ.ＳＷ）、４２…送受信アンテナ、４３…ＴＣＸＯ、５１…電池、５２…送信電源部、５３…制御電源部、５６…電力スイッチ（Ｐ.ＳＷ）、６０…ＥＴ電源部、６０ａ…ＥＴ電源部出力、１６０…ＥＴ電源部、１６０ａ…ＥＴ電源部出力、１６１…変動電圧生成用パルス信号生成部（ＰＷＭ部）、１６１ａ…ＤＡＣ、１６１ｂ…三角波発生回路、１６１ｃ…コンパレータ、１６１ｓ…変動電圧生成用パルス信号、１６２…パルススイッチ部（ＰＷＭスイッチ部）、１６３…スイッチングアンプ、２１１…制御部、２６０…ＥＴ電源部、２６０ａ…ＥＴ電源部出力、３６０…ＥＴ電源部、３６０ａ…ＥＴ電源部出力、３６１…スイッチ部。
【図１】
2016051463.tif 000003
【図２】
2016051463.tif 000004
【図３】
2016051463.tif 000005
【図４】
2016051463.tif 000006
【図５】
2016051463.tif 000007
【図６】
2016051463.tif 000008
【図７】
2016051463.tif 000009
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
無線信号を送信する送信期間と、無線信号を受信する受信期間とが、重ならないように設定された無線通信装置であって、
ＩＱ変調された変調信号を直交変調する直交変調部と、前記直交変調された信号を電力増幅する送信電力増幅部とを含む送信部と、
受信信号を復調して復調信号を出力する復調部を含む受信部と、
前記送信電力増幅部と前記受信部の電源である第１の電源部と、
前記直交変調部の電源である第２の電源部と、
前記直交変調部へ前記変調信号を出力し、前記復調部からの前記復調信号が入力される制御部とを備え、
前記第１の電源部は、前記受信期間では、前記受信部へ定電圧を出力し、前記送信期間では、前記送信電力増幅部へ、前記変調信号の包絡線に応じた変動電圧を出力することを特徴とする無線通信装置。
【請求項２】
請求項１に記載の無線通信装置であって、
前記第１の電源部は、
入力されたパルス信号のパルス幅に応じた電圧を出力し、該出力により前記第１の電源部の出力を形成するスイッチングアンプを含み、前記送信期間では、前記変動電圧を生成するためのパルス信号である変動電圧生成用パルス信号が前記スイッチングアンプへ入力され、前記スイッチングアンプから前記変動電圧を出力することを特徴とする無線通信装置。
【請求項３】
請求項２に記載の無線通信装置であって、
前記第１の電源部は、
前記変動電圧生成用パルス信号を生成し出力する変動電圧生成用パルス信号生成部を含むことを特徴とする無線通信装置。
【請求項４】
請求項３に記載の無線通信装置であって、
前記第１の電源部は、
前記受信部へ出力される前記定電圧を生成するための定電圧生成用パルス信号と、前記変動電圧生成用パルス信号の内、いずれか一方を前記スイッチングアンプへ出力するパルススイッチ部を含み、
前記パルススイッチ部は、前記送信期間では、前記変動電圧生成用パルス信号を出力し、前記受信期間では、前記定電圧生成用パルス信号を出力し、
前記スイッチングアンプは、前記送信期間では、前記変動電圧を出力し、前記受信期間では、前記定電圧を出力することを特徴とする無線通信装置。
【請求項５】
請求項４に記載の無線通信装置であって、
前記制御部は、
前記送信期間であるか否かを示す識別信号を前記第１の電源部へ出力するとともに、前記送信期間では、前記変調信号の包絡線を示す包絡線信号を前記第１の電源部へ出力し、前記受信期間では、前記定電圧生成用パルス信号を前記第１の電源部へ出力し、
前記変動電圧生成用パルス信号生成部は、前記包絡線信号に基づき、前記変動電圧生成用パルス信号を生成し、
前記パルススイッチ部は、前記識別信号に基づき、前記送信期間では、前記変動電圧生成用パルス信号を出力し、前記受信期間では、前記定電圧生成用パルス信号を出力することを特徴とする無線通信装置。
【請求項６】
請求項１に記載の無線通信装置であって、
前記送信期間と前記受信期間との間に、ギャップタイムが設けられ、
前記第１の電源部は、前記送信期間直後の前記ギャップタイムにおいて、その出力を、前記変動電圧から前記定電圧へ切り換え、前記受信期間直後の前記ギャップタイムにおいて、その出力を、前記定電圧から前記変動電圧へ切り換えることを特徴とする無線通信装置。
【国際調査報告】
2016051463.tif 000010
2016051463.tif 000011